(57)【要約】【課題】本発明は、病院や老人養護施設等のトイレに自分で行けない要介護者が排尿便時にベッド周囲に発生する臭気を除去することができる局所消臭器に関する。【解決手段】消臭槽５には、パンチング板８を完全に水没させる位置まで消臭液Ｓが満たされており、また前記パンチング板８には微小孔ｓが多数形成されている。ブロワーファン室のブロワーファンに接続された送風管７は、前記消臭槽５下部に延び、底部から所定高さ位置に仕切られているパンチング板８の中央を貫通して前記送風管７が底部側向きに開口している。悪臭空気は、送風管７から気泡となって放出されて消臭液Ｓ中を上方に浮上し、前記パンチング板８で前記気泡が堰き止められて前記パンチング板８の下面に空気層Ｒとなって滞留する。堰き止められた滞留空気が前記パンチング板８の微小孔ｓから微細気泡となって消臭液Ｓ中を再浮上し、無臭化される。【選択図】  図２
2004357908.tif 000002
【特許請求の範囲】
【請求項１】
垂直方向の仕切板で３部屋に仕切られ、それぞれ汚物入れ室、ブロワーファン室、消臭槽及び気液分離槽室とを一体に収納した直方体の箱体からなり、前記消臭槽の下部には底部から所定高さ位置に横断方向に仕切られたパンチング板が設けられ、さらに前記パンチング板を完全に水没させる位置まで消臭液が満たされており、また前記パンチング板には微小孔が多数形成されていて、前記ブロワーファン室のブロワーファンの送風管が前記パンチング板を貫通して消臭槽底部に向けて開口されていることを特徴とする局所消臭器。
【請求項２】
前記消臭槽と気液分離槽との間の垂直方向の上方開放の仕切板と、前記箱体の天板から下方に延びる分離板とにより蛇行流路を形成し、正面板の上部にルーバー式排気口を形成して水分を除去した無臭空気を室内に排出させることを特徴とする請求項１記載の局所消臭器。
【発明の詳細な説明】
【０００１】
【発明の属する技術分野】
本発明は、病院や老人養護施設等のトイレに自分で行けない要介護者が排尿便時にベッド周囲に発生する臭気を除去することができる局所消臭器に関する。
【０００２】
【従来の技術】
従来、病院や老人養護施設等でトイレに行けない要介護者が排尿便時にベッド周囲に発生する臭気を除去する要望は少なからずあった。
しかし、従来の吸着方式では装置が非常に大きいものとなり、狭い部屋では実用には適さない状況にあった。
そこで、狭い部屋でも使用可能な局所用脱臭器が特開平１０−２１１２６４号公報により公知となっている。
上記特開平１０−２１１２６４号公報は、図５に示すように、吸着剤２と消臭剤３とが一体に収容されており、さらに排気Ｂを排出する排気口４とフレキシブルホース５を介して臭気Ａを吸入する吸入口６とが付設されており、底部にキャスター１２が取り付けられて要介護者Ｍのベッド７まで移動することが可能な局所用脱臭器である。
一方、あらゆる種類の臭気の消臭器として特開２００２−３３６６４０号公報が公知となっている。
上記特開２００２−３３６６４０号公報は、図６に示すように、臭気を気泡状にして放出する気泡発生手段２，６を底部に備えた消臭液槽３，７と、この消臭液槽３、７の上部に設置され、前記消臭液槽３、７を通って上昇してきた臭気を取り入れる消臭粒容器４と、を備え、前記消臭粒容器４を通った後の気体を外部へ排出するようにした消臭器である。
【０００３】
【発明が解決しようとする課題】
そこで、本発明は、狭い部屋でも使用可能な、かつあらゆる種類の臭気を消臭することができる局所消臭器を提供することを目的とする。
【０００４】
【課題を解決するための手段】
本発明の局所消臭器は、垂直方向の仕切板で３部屋に仕切られ、それぞれ汚物入れ室、ブロワーファン室、消臭槽及び気液分離槽室とを一体に収納した直方体の箱体からなり、前記消臭槽の下部には底部から所定高さ位置に横断方向に仕切られたパンチング板が設けられ、さらに前記パンチング板を完全に水没させる位置まで消臭液が満たされており、また前記パンチング板には微小孔が多数形成されていて、前記ブロワーファン室のブロワーファンの送風管が前記パンチング板を貫通して消臭槽底部に向けて開口されているものである。
さらに、前記消臭槽と気液分離槽との間の垂直方向の上方開放の仕切板と、前記箱体の天板から下方に延びる分離板とにより蛇行流路を形成し、正面板の上部にルーバー式排気口を形成して水分を除去した無臭空気を室内に排出させるものである。
【０００５】
【実施例】
最初に、本発明の局所消臭器モデルの消臭処理フローに従って消臭作動を説明する。
図１に示すように、ベッドに寝たきり状態の要介護者Ａの上方に吸気フード１を配置し、該吸気フード１に接続されたフレキシブルホース２、汚物入れ容器３を介してブロワーファン４に接続される。
前記ブロワーファン４は、遠心力ファン等の吸引力の優れたものを使用し、吸気側を前記フレキシブルホース２、汚物入れ容器３に接続し、排気側を後述する消臭槽５、気泡分離槽６に接続する。
前記ブロワーファン４の排気側に接続した送風管７が消臭槽５下部まで延びており、前記消臭槽５の底部から所定高さ位置にパンチング板８で仕切られており、該パンチング板８の中央を貫通して前記送風管７が底部側に開口している。
そして、前記消臭槽５には、前記パンチング板８を完全に水没させる位置まで消臭液Ｓが満たされており、また前記パンチング板８には微小孔（図示せず）が多数形成されている。
したがって、前記ブロワーファン４から送風されてきた悪臭空気は、前記消臭槽５の底部に送風管７から圧送され気泡となって放出されて消臭液Ｓ中を上方に浮上し、前記パンチング板８で前記気泡が堰き止められて前記パンチング板８の下面に空気層Ｒとなって滞留する。
前記消臭液Ｓ中を浮上する時や堰き止められた空気層Ｒ状態となった時に臭気が前記消臭液Ｓに接触することにより消臭される。
さらに、前記ブロワーファン４から連続して悪臭空気が送風されてくると前記空気層Ｒの圧力が上昇し、堰き止められた滞留空気が前記パンチング板８の微小孔（図示せず）から微細気泡となって消臭液Ｓ中を再浮上し、この再浮上時に微細気泡が消臭液Ｓとさらに接触することにより無臭化され、消臭液Ｓ面上に微細気泡が山のように盛り上がる。
前記消臭槽５の上部には送風管７が連結され、盛り上がった微細気泡は該送風管７により気泡分離槽６へ押し出され、該気泡分離槽６により微細気泡はパチンと破裂して水分を含んだ無臭空気となる。
前記水分を含んだ無臭空気は気液分離が行われて水分を除去され、無臭空気は前記気泡分離槽６上部の送風管７から室内に放出され、分離された消臭液Ｓは前記気泡分離槽６底部の消臭液戻り管９を介して前記消臭槽５へ戻される。
【０００６】
次に、本発明の局所消臭器の一実施例を図面に基づいて説明する。
図２に示すように、本発明の局所消臭器は、図１の消臭処理フローで説明した部品を一体に収納した直方体の箱体１０からなり、該箱体１０をキャスターを有する台車に載せて移動可能とすることもできるし、また前記箱体１０は場所を取らないのでそのままの状態で定置しておくこともできる。
前記箱体１０の上部に形成した開口部にフレキシブルホース２の一端を連結し、該フレキシブルホース２の他端を吸気フード１の吸気口に接続する。
前記吸気フード１は、４周縁部が下方に傾斜し、天板部に吸気口を設けた矩形板からなり、前記箱体１０の側面に取付部材１１を介して取付支持された逆Ｌ字状の支持棒１２の先端に前記支持棒１２に沿って摺動自在に設けられる。
なお、前記吸気フード１を摺動させてもフレキシブルホース２で連結されているので、伸び縮みし移動に支障は生じない。
【０００７】
図３に示すように、前記箱体１０は、垂直方向の仕切板１８で３部屋に仕切られており、左側から汚物入れ室１３、ブロワーファン室１４、消臭槽及び気液分離槽室１５となっている。
前記汚物入れ室１３は、図１に示すように左側面に側部開閉扉１６を備え、天板面に上部開閉扉１７及び開口部を設け、前記開口部に前記フレキシブルホース２の一端が接続されている。
前記両開閉扉１６、１７を使用しておしめ等の汚物を収納、取出しを行うことができる。
図４に示すように、前記ブロワーファン室１４は、遠心力ファン等の吸引力の優れたブロワーファン４を使用し、前記汚物入れ室１３とブロワーファン室１４との仕切板１８の上部に開口窓１９を設けて、前記開口窓１９を除塵フィルター２０で覆い、両室の連通を行う。
なお、前記フレキシブルホース２と前記ブロワーファン室１４との間に、汚物入れ室１３を接続しているので、前記汚物入れ室１３に収納したおしめ等の臭気をブロワーファン４で吸気することができる。
図３に示すように、前記消臭槽及び気液分離槽室１５は、垂直方向の上部開放の仕切板１８により前後に分離されており、奥が前記消臭槽５で、手前が前記気液分離槽２１となっている。
前記消臭槽５の下部には底部から所定高さ位置に横断方向に仕切られたパンチング板８が設けられている。
そして、前記消臭槽５には、前記パンチング板８を完全に水没させる位置まで消臭液Ｓが満たされており、また前記パンチング板８には微小孔ｓが多数形成されている。
前記ブロワーファン室１４のブロワーファン４に接続された送風管７は、前記ブロワーファン室１４と前記消臭槽及び気液分離槽室１５との間の仕切板１８を貫通して図２に示すように前記消臭槽５下部に延び、底部から所定高さ位置に仕切られているパンチング板８の中央を貫通して前記送風管７が底部側向きに開口している。
【０００８】
前記消臭槽５と気液分離槽２１との間の垂直方向の上方開放の仕切板１８と、前記箱体１０の天板から下方に延びる分離板２２とにより蛇行流路を形成し、正面板の上部にルーバー式排気口２３を形成して水分を除去した無臭空気を室内に排出させる。
さらに、前記気液分離槽２１の底板を前記消臭槽５の液面より上方に形成し、前記底板の排水口から消臭液戻り管９を介して前記消臭槽５の下部に連通させると共に、前記消臭液戻り管９を分岐させて廃液管２４を設け、廃液バルブ２５により前記消臭槽５の消臭液Ｓを廃棄できるようにしている。
また、前記消臭槽５の天板には消臭液投入口を形成し、該投入口には開閉蓋２６を閉蓋している。
【０００９】
次に、本発明の局所消臭器の消臭作動を以下に説明する。
ベッドに寝たきり状態の要介護者Ａの上方に吸気フード１を配置し、該吸気フード１に接続されたフレキシブルホース２、汚物入れ室１３を介してブロワーファン室１４に接続される。
これにより、要介護者Ａ及び汚物入れ室１３の悪臭空気が前記ブロワーファン室１４に吸引される。
前記ブロワーファン室１４から送風されてきた悪臭空気は、前記消臭槽５の底部にブロワーファン４によって圧送され、図２に示すように、送風管７から気泡となって放出されて消臭液Ｓ中を上方に浮上し、前記パンチング板８で前記気泡が堰き止められて前記パンチング板８の下面に空気層Ｒとなって滞留する。
前記消臭液Ｓ中を浮上する時や堰き止められた空気層Ｒ状態となった時に臭気が前記消臭液Ｓに接触することにより消臭される。
さらに、前記ブロワーファン４から連続して悪臭空気が気泡状態で送られてくると前記空気層Ｒの圧力が上昇し、堰き止められた滞留空気が前記パンチング板８の微小孔ｓから微細気泡となって消臭液Ｓ中を再浮上し、この再浮上時に微細気泡が消臭液Ｓとさらに接触することにより無臭化され、消臭液Ｓ面上に微細気泡がブクブクと山のように盛り上がる。
前記盛り上がった微細気泡は最上位がパチンと破裂して水分を含んだ無臭空気なり、水分を含んだ無臭空気が気液分離槽２１へ送風される。
前記水分を含んだ無臭空気は、蛇行流路を形成する仕切板１８、分離板２２の作用により気液分離が行われて水分を除去され、無臭空気は前記気液分離槽２１上部のルーバー式排気口２３から室内に放出され、液化した消臭液Ｓは前記気液分離槽２１底部の消臭液戻り管９を介して前記消臭槽５へ戻される。
【００１０】
【効果】
以上述べた如く、本発明の局所消臭器は、病院や老人養護施設等のトイレに自分で行けない要介護者が排尿便時にベッド周囲に発生する臭気を簡単に除去することができる。
また、本発明の局所消臭器は、一体に収納した直方体の箱体からなり、狭い部屋でも使用可能なコンパクトな設計となっている。
【図面の簡単な説明】
【図１】本発明の局所消臭器モデルの説明図である。
【図２】本発明の局所消臭器の右側面図である。
【図３】本発明の局所消臭器の平面図である。
【図４】本発明の局所消臭器の正面図である。
【図５】従来の局所用脱臭器の説明図である。
【図６】従来の消臭器の断面図である。
【符号の説明】
１  吸気フード
２  フレキシブルホース
３  汚物入れ容器
４  ブロワーファン
５  消臭槽
６  気泡分離槽
７  送風管
８  パンチング板
９  消臭液戻り管
１０  箱体
１１  取付部材
１２  支持棒
１３  汚物入れ室
１４  ブロワーファン室
１５  消臭槽及び気液分離槽室
１６  側部開閉扉
１７  上部開閉扉
１８  仕切板
１９  開口窓
２０  除塵フィルター
２１  気液分離槽
２２  分離板
２３  排気口
２４  廃液管
２５  廃液バルブ
２６  開閉蓋
【図１】
2004357908.tif 000003
【図２】
2004357908.tif 000004
【図３】
2004357908.tif 000005
【図４】
2004357908.tif 000006
【図５】
2004357908.tif 000007
【図６】
2004357908.tif 000008